(57)【要約】【課題】  第１針目の縫い動作時における上飾り糸ルーパによる上飾り糸の引掛け保持を確実かつ安定化して、針糸の切断端部の状況及び使用する針糸の種類にかかわらず、第１針目から所定の縫目を確実、順調に形成できる上飾り機構付きミシンを提供する。【解決手段】  上飾り糸ルーパ１の先端部付近に、縫い開始に伴い該上飾り糸ルーパ１が進出端位置から退入移動して退入端近傍に達したとき、上飾り糸切断装置４と上飾り糸案内２との間に亘って掛け渡された上飾り糸３部分を引掛けるフック部１８が糸掛部１ａに対向して設けられているとともに、針５の下方への移動時に上飾り糸切断装置４と上飾り糸案内２との間に亘って掛け渡された上飾り糸３部分を押下げるように飾り糸案内２の糸案内用長孔２ａ内を上方から下方へ挿通移動可能な糸押下げ片８ｂが上飾り糸道８の下端部に一体に延設されている。【選択図】図５
2008142498.tif 000002
【特許請求の範囲】
【請求項１】
布送り方向と交叉する方向に並列させて上下往復移動自在に設けられた複数本の針と、布押え金と、ミシンアームに固定支持されて上飾り糸を上方から前記布押え金下の縫目形成領域へ向けて案内する上飾り糸案内と、この上飾り糸案内と前記布押え金との間に位置する上飾り糸部分を引掛ける糸掛部を有し、この糸掛部に引掛けた上飾り糸を布送り方向と交叉する方向に繰り出すべく前記複数の針の並列方向に進出退入駆動移動自在に設けられた上飾り糸ルーパと、縫い終わり時に前記針が上死点またはその付近に達し、かつ、前記上飾り糸ルーパが進出端にまで移動している状態で該上飾り糸ルーパの糸掛部と前記上飾り糸案内との間に亘って張り渡された上飾り糸部分を引掛けて斜め後方上方に引き寄せて切断し、かつ、その切断された上飾り糸の糸端を保持する上飾り糸切断装置と、を備えている上飾り機構付きミシンにおいて、
縫いの開始に伴い前記上飾り糸ルーパが前記進出端位置から退入移動して退入端近傍に達したとき、前記上飾り糸切断装置と前記上飾り糸案内との間に亘って掛け渡されている上飾り糸部分が前記上飾り糸ルーパの糸掛部に引掛けられるように、その上飾り糸部分を下方へ押し下げる上飾り糸引掛け補助手段が設けられていることを特徴とする上飾り機構付きミシン。
【請求項２】
布送り方向と交叉する方向に並列させて上下往復移動自在に設けられた複数本の針と、布押え金と、ミシンアームに固定支持されて上飾り糸を上方から前記布押え金下の縫目形成領域へ向けて案内する上飾り糸案内と、この上飾り糸案内と前記布押え金との間に位置する上飾り糸部分を引掛ける糸掛部を有し、この糸掛部に引掛けた上飾り糸を布送り方向と交叉する方向に繰り出すべく前記複数の針の並列方向に進出退入駆動移動自在に設けられた上飾り糸ルーパと、縫い終わり時に前記針が上死点またはその付近に達し、かつ、前記上飾り糸ルーパが進出端にまで移動している状態で前記上飾り糸ルーパの糸掛部と前記上飾り糸案内との間に亘って張り渡された上飾り糸部分を引掛けて斜め後方上方に引き寄せて切断し、かつ、その切断された上飾り糸の糸端を保持する上飾り糸切断装置と、を備えている上飾り機構付きミシンにおいて、
前記上飾り糸ルーパの先端部付近には、縫い開始に伴い前記上飾り糸ルーパが前記進出端位置から退入移動して退入端近傍に達したとき、前記上飾り糸切断装置と前記上飾り糸案内との間に亘って掛け渡された上飾り糸部分を引掛けるフック部が前記糸掛部に対向して設けられているとともに、前記針の下方への移動に同期して前記上飾り糸切断装置と前記上飾り糸案内との間に亘って掛け渡された上飾り糸部分を下方へ押し下げて前記上飾り糸部分のフック部への引掛かりを補助する上飾り糸押し下げ手段が設けられていることを特徴とする上飾り機構付きミシン。
【請求項３】
前記上飾り糸押し下げ手段が、前記針止めに取り付けられて上下に往復移動する上飾り糸道から延設されて、前記上飾り糸道が下方への移動端に達したとき、前記上飾り糸案内の糸案内用長孔内を上方から下方へ挿通移動可能に形成された糸押下げ片から構成されたものである請求項２に記載の上飾り機構付きミシン。
【請求項４】
前記上飾り糸押し下げ手段が、前記針止めの側部に下方に突出するように付設されて、該針止めが下方への移動端に達したとき、前記上飾り糸部分に当接して該糸部分を押下げる糸押下げ部材から構成されたものである請求項２に記載の上飾り機構付きミシン。
【発明の詳細な説明】
【技術分野】
【０００１】  本発明は、例えば３本針などの多本針偏平縫いミシンなどに適用されるもので、複数本の針糸とルーパ糸及び上飾り糸とにより縫目を形成するように構成されている上飾り機構付きミシンに関するものである。
【背景技術】
【０００２】  この種の上飾り機構付きミシンとして、従来、布送り方向と交叉する方向に並列させて上下往復移動自在に設けられた複数本の針と、布押え金と、ミシンアームに固定支持されて上飾り糸を上方から前記布押え金下の縫目形成領域へ向けて案内する上飾り糸案内と、この上飾り糸案内と前記布押え金との間に位置する上飾り糸部分を引掛ける糸掛部を有し、この糸掛部に引掛けた上飾り糸を布送り方向と交叉する方向に繰り出すべく前記複数の針の並列方向に進出退入駆動移動自在に設けられた上飾り糸ルーパと、縫い終わり時に前記針が上死点またはその付近に達し、かつ、前記上飾り糸ルーパが進出端にまで移動している状態で該上飾り糸ルーパの糸掛部と前記上飾り糸案内との間に亘って張り渡された上飾り糸部分を引掛けて斜め後方上方に引き寄せて切断し、かつ、その切断された上飾り糸の糸端を保持する上飾り糸切断装置とを備えたものが数多く提案されている（例えば、特許文献１〜３参照）。【０００３】  そして、上記のような構成部材を備えた上飾り機構付きミシンによれば、通常の縫い動作時には上飾り糸案内を介して布押え金下の縫目形成領域より右斜め上方に延びている上飾り糸が上飾り糸ルーパの進出移動に伴い該ルーパの糸掛部に引掛けられて左方に引き寄せられ、前記ルーパが進出端に達した段階で、前記糸掛部と前記上飾り糸案内との間に亘って形成される上飾り糸ループ内を複数本の針のうち並列方向左側の針が下降移動するとともに、並列方向右端の針が上飾り糸ループの手前側を下降移動し、その後の前記ルーパの退入移動時に前記糸掛部から引掛け解除された上飾り糸が前記右端針に供給される右端の針糸によって布押え金下の縫目形成領域へ押し下げられて布の上面に縫い付けられ、所定の縫目を形成するように構成されている。【０００４】
【特許文献１】  特公昭６１−１１６３６号公報
【特許文献２】  特開平４−３５４９７９号公報
【特許文献３】  特公平７−３８９１４号公報
【発明の開示】
【発明が解決しようとする課題】
【０００５】  ところで、上記特許文献１−３で提案されている従来の上飾り機構付きミシンはいずれも、上飾り糸が上飾り糸ルーパの進出移動時にその糸掛部に引掛けられて左方に引き寄せられ、前記ルーパが進出端に達した段階でその糸掛部と上飾り糸案内との間に亘って上飾りループが確実かつ安定よく形成されることにより、前記ルーパの糸掛部から引掛け解除された上飾り糸が右端の針糸により布押え金下の縫目形成領域へ押し下げられる動作が繰り返されて所定の縫目を連続的に確実、順調に形成できること、すなわち、通常の縫い動作が第１針目の縫い動作から正常に行えることを前提にしたものであって、先の布に対する縫いが完了し、次の布に対する縫いを開始した場合の最初の縫目形成動作（以下、第１針目の縫い動作）については全く考慮されていない。つまり、第１針目の縫い動作時に上飾り糸ルーパの糸掛部に上飾り糸が確実に引掛けられない事態については想定されていない。そのため、第１針目の縫い動作時に上飾り糸ルーパの糸掛部に上飾り糸が引掛けられない事態が生じた場合、上飾り糸が針糸に絡み合った所定の縫目が形成されない、いわゆる、目飛びを生じて、第１針目はもとより、第２針目以降の縫い動作時にも所定の縫目を形成することができず、その結果、縫製不良品を発生する可能性があった。【０００６】  従来の上飾り機構付きミシンにおいて、第１針目の縫い動作で所定の縫目が形成されず、目飛びを生じる理由について、要部の図解を参照して詳しく説明すると、以下のとおりである。
即ち、先の布に対する縫製作業が終了した縫い終わり時には、図７（Ａ）に示すように、上飾り糸ルーパ１の糸掛部１ａとミシンアーム（図示省略）に固定支持された上飾り糸案内２の糸案内用長孔２ａとの間に亘って張り渡されている上飾り糸３部分が上飾り糸切断装置４の可動メス４ａに引掛けられて斜め後方上方に引き寄せられて切断され、かつ、その切断された上飾り糸３の糸端が保持されているとともに、布送り方向と交叉する方向に並列されている複数本（３本で示す）の針５Ｌ，５Ｍ，５Ｒに供給されている針糸６Ｌ，６Ｍ，６Ｒは、図示省略した公知の糸切り装置により布押え金の下方で切断され、場合によっては、切断後の針糸６Ｌ，６Ｍ，６Ｒの端部６１，６ｍ，６ｒが布押え金の上面に沿って略水平移動する針糸払いワイパー（周知であるため、記載を省略する）によって布押え金の目孔より引き抜かれて次の布の挿入が邪魔にならないように針５Ｌ，５Ｍ，５Ｒの側方上方に払われている。このとき、並列する針５Ｌ，５Ｍ，５Ｒのうち右端針５Ｒの針孔に挿通されている針糸６Ｒと上飾り糸３との関係は、図９（Ａ）で示すように、右端の針糸６Ｒの端部６ｒが上飾り糸３の後方、つまり、布２０の送り方向Ｘの後方に自由端の状態で位置している。【０００７】  この状態でミシンが作動されて次の布２０に対する縫いが開始されたとき、図７（Ｂ）に示すように、前記上飾り糸ルーパ１がその進出端位置から退入移動するとともに、針止め７に取り付けられている上飾り糸道８が針５Ｌ，５Ｍ，５Ｒと同期して下降移動し、続いて、図７（Ｃ）に示すように、前記上飾り糸ルーパ１はその退入端に達したのち針５Ｌ，５Ｍ，５Ｒの並列方向に向けて進出移動するとともに、針５Ｌ，５Ｍ，５Ｒ及び上飾り糸道８はその下死点に達したのち上昇移動する。このとき、布押え金の下方で切断された、あるいは、切断後に針５Ｌ，５Ｍ，５Ｒの側方上方に払われた針糸６Ｌ，６Ｍ，６Ｒの端部６１，６ｍ，６ｒは布押え金の上方に位置して張力をもたないフリーな状態にあるために、図９（Ｂ）で示すように、針５Ｌ，５Ｍ，５Ｒの下降移動につれて針糸６Ｌ，６Ｍ，６Ｒのフリーな端部６１，６ｍ，６ｒが上飾り糸３の張り渡し位置よりも下方にまで引き下げられる。【０００８】  次に、前記上飾り糸ルーパ１が進出移動する時にその糸掛部１ａで上飾り糸３部分を引掛けることができればよいが、実際は、良好な縫目を形成できるように設定されている針５Ｌ，５Ｍ，５Ｒ及び上飾り糸ルーパ１の動作タイミングの関係で糸掛部１ａが上飾り糸３部分を引掛ける前に上飾り糸道８が上昇しており、この上飾り糸道８の上昇につれて上飾り糸３部分が、図７（Ｃ）に示されているように、上飾り糸ルーパ１の糸掛部１ａの移動経路よりもやや上方に引き上げられているために、上飾り糸３部分が上飾り糸ルーパ１の糸掛部１ａに引掛けられない、あるいは、引掛けられたとしても、その確率は非常に不安定であり、前記上飾り糸ルーパ１が進出端に達したとき、図７（Ｄ）に示すように、糸掛部１ａと上飾り糸案内２との間に亘って上飾り糸ループが形成されないとともに、針５Ｌ，５Ｍ，５Ｒの上昇に伴い右端の針糸６Ｒの端部６ｒは、図９（Ｃ）で示すように、上飾り糸３の下方部に引き下げられた��まで、下ルーパ糸用ルーパ１９に捕捉された後の針糸６Ｒの端部６ｒが上飾り糸３の前方に位置する関係となる。なお、この図７（Ｄ）の状態をより理解しやすくするために図７（Ｄ）を拡大した状態を図８で示す。【０００９】  このような状況になると、針５Ｌ，５Ｍ，５Ｒが一旦、下降して針糸６Ｌ，６Ｍ，６Ｒの端部６ｌ，６ｍ，６ｒが布押え金の下部で布２０につながり保持されたとしても、上飾り糸３は左端及び中間の針糸６Ｌ，６Ｍの端部６ｌ，６ｍの手前に、また、右端の針糸６Ｒの端部６ｒの後方に位置する状態が続き、次の針５Ｌ，５Ｍ，５Ｒの下降移動時に右端の針糸６Ｒにより上飾り糸３部分を布押え金の下方に押し下げることができない。したがって、針糸６Ｌ，６Ｍ，６Ｒと下ルーパ糸とによる縫目は形成されるにしても上飾り糸３が絡んだ所定の縫目を形成することができず、第１針目の縫い動作はもとより、それ以降の縫い動作時にも所定の縫目が形成されず縫製不良品を発生するという問題があった。【００１０】  特に、針糸の切断端部が側方上方へ払われない場合であっても、伸縮性に富んだ針糸６Ｌ，６Ｍ，６Ｒを使用した場合は、縫い終わり時に切断された針糸６Ｌ，６Ｍ，６Ｒが縮まってその端部６ｌ，６ｍ，６ｒが短かくなるために、針糸６Ｌ，６Ｍ，６Ｒと上飾り糸３部分との位置関係は図７（Ｄ）及び図９（Ｃ）に示す状態となって、上飾り糸６を布押え金下の縫目形成領域にまで押し下げることが一層困難であり、第１針目及びそれ以降の縫い動作時に所定の縫目を形成することが全くできない。【００１１】  本発明は上述の実情に鑑みてなされたもので、第１針目の縫い動作時における上飾り糸ルーパによる上飾り糸の引掛け保持を確実かつ安定化して、縫い終わり時の針糸の切断端部の状況及び使用する針糸の種類にかかわらず、第１針目から所定の縫目を確実、順調に形成することができる上飾り機構付きミシンを提供することを目的としている。
【課題を解決するための手段】
【００１２】  上記目的を達成するために、本第１発明に係る上飾り機構付きミシンは、布送り方向と交叉する方向に並列させて上下往復移動自在に設けられた複数本の針と、布押え金と、ミシンアームに固定支持されて上飾り糸を上方から前記布押え金下の縫目形成領域へ向けて案内する上飾り糸案内と、この上飾り糸案内と前記布押え金との間に位置する上飾り糸部分を引掛ける糸掛部を有し、この糸掛部に引掛けた上飾り糸を布送り方向と交叉する方向に繰り出すべく前記複数の針の並列方向に進出退入駆動移動自在に設けられた上飾り糸ルーパと、縫い終わり時に前記針が上死点またはその付近に達し、かつ、前記上飾り糸ルーパが進出端にまで移動している状態で該上飾り糸ルーパの糸掛部と前記上飾り糸案内との間に亘って張り渡された上飾り糸部分を引掛けて斜め後方上方に引き寄せて切断し、かつ、その切断された上飾り糸の糸端を保持する上飾り糸切断装置と、を備えている上飾り機構付きミシンにおいて、縫いの開始に伴い前記上飾り糸ルーパが前記進出端位置から退入移動して退入端近傍に達したとき、前記上飾り糸切断装置と前記上飾り糸案内との間に亘って掛け渡されている上飾り糸部分が前記上飾り糸ルーパの糸掛部に引掛けられるように、その上飾り糸部分を下方へ押し下げる上飾り糸引掛け補助手段が設けられていることを特徴としている（請求項１）。【００１３】  また、上記と同−の目的を達成するために、本第２発明に係る上飾り機構付きミシンンは、布送り方向と交叉する方向に並列させて上下往復移動自在に設けられた複数本の針と、布押え金と、ミシンアームに固定支持されて上飾り糸を上方から前記布押え金下の縫目形成領域へ向けて案内する上飾り糸案内と、この上飾り糸案内と前記布押え金との間に位置する上飾り糸部分を引掛ける糸掛部を有し、この糸掛部に引掛けた上飾り糸を布送り方向と交叉する方向に繰り出すべく前記複数の針の並列方向に進出退入駆動移動自在に設けられた上飾り糸ルーパと、縫い終わり時に前記針が上死点またはその付近に達し、かつ、前記上飾り糸ルーパが進出端にまで移動している状態で該上飾り糸ルーパの糸掛部と前記上飾り糸案内との間に亘って張り渡された上飾り糸部分を引掛けて斜め後方上方に引き寄せて切断し、かつ、その切断された上飾り糸の糸端を保持する上飾り糸切断装置と、を備えている上飾り機構付きミシンにおいて、前記上飾り糸ルーパの先端部付近には、縫い開始に伴い前記上飾り糸ルーパが前記進出端位置から退入移動して退入端近傍に達したとき、前記上飾り糸切断装置と前記上飾り糸案内との間に亘って掛け渡された上飾り糸部分を引掛けるフック部が前記糸掛部に対向して設けられているとともに、前記針の下方への移動時に前記上飾り糸切断装置と前記上飾り糸案内との間に亘って掛け渡された上飾り糸部分を下方へ押し下げて前記上飾り糸部分のフック部への引掛かりを補助する上飾り糸押し下げ手段が設けられていることを特徴としている（請求項２）。
【発明の効果】
【００１４】  上記のごとき特徴を有する本第１及び第２発明によれば、進出端にまで移動している上飾り糸ルーパの糸掛部と上飾り糸切断装置との間に亘って上飾り糸部分が掛け渡し保持されている縫い終わり状況下で次の布に対する第１針目の縫い動作が開始され前記上飾り糸ルーパが進出端位置から退入移動して退入端近傍に達したとき、上飾り糸引掛け補助手段または上飾り糸押し下げ手段によって前記上飾り糸部分が下方へ押し下げられて上飾り糸ルーパの糸掛部またはフック部に確実かつ安定よく引掛けることが可能となり、これにより、該上飾り糸ルーパが次に進出端に達した状態では、その糸掛部またはフック部と前記上飾り糸切断装置との間に位置する上飾り糸部分に右端の針を折曲げ中心とするような屈曲部分を形成して該屈曲糸部分を針糸の切断端部の前方に位置させることができる。したがって、縫い終わり時に布押え金の下方で切断された、あるいは、切断後に針の側方上方に払われた針糸の端部がフリーな状態にあったとしても、また、伸縮性に富んだ針糸の使用によって切断後の針糸端部が非常に短いものになるとしても、針の下降移動時に右端の針及び針糸により上飾り糸の屈曲糸部分を布押え金の下方に確実に押し下げることができて、第１針目の動作から上飾り糸、針糸及び下ルーパ糸が相互に絡んだ所定の縫目を確実に形成することができる。また、このように第１針目で上飾り糸を布押え金の下方に押し下げることができるために、第２針目以降においては所定の縫目を当然確実に形成することができ、したがって、縫製不良品の発生を無くすることができるという効果を奏する。【００１５】  特に、本第２発明のように、上飾り糸ルーパの先端部付近に糸掛部に対向してフック部を設け、このフック部への上飾り糸部分の引掛かりを補助する上飾り糸押し下げ手段として、例えば針止めに取り付けられて上下に往復移動する上飾り糸道から延設されて、該上飾り糸道が下方への移動端に達したとき、上飾り糸案内の糸案内用長孔内を上方から下方へ挿通移動可能に形成された糸押下げ片（請求項３）や、前記針止めの側部に下方に突出するように付設されて、該針止めが下方への移動端に達したとき、前記上飾り糸部分に当接して該糸部分を押下げる糸押下げ部材（請求項４）といったように、針の下方への移動に同期して上飾り糸部分を下方へ押し下げるように構成されたものを用いる場合は、この上飾り糸押し下げ手段を上下移動させるための特別な駆動機構が不要で、全体を構造簡単かつ安価に構成できるとともに、針や上飾り糸ルーパ等との動作タイミングも適正に設定し維持することができ、長期間に亘る使用においても所期の目的を確実に達成することができる。
【発明を実施するための最良の形態】
【００１６】  以下、本発明の実施の形態を図面にもとづいて説明する。
図１は本発明に係る上飾り機構付きミシンの一例である３本針縦筒偏平縫いミシンの全体斜視図、図２はその要部の拡大斜視図、図３は主要部の構成、動作及び配置関係を示す拡大斜視図である。なお、以下の説明において、図７（Ａ）〜（Ｄ）及び図９（Ａ）〜（Ｃ）で説明した構成部材と同一の部材には同一の符号を用いて説明する。【００１７】  図１〜図３において、５Ｌ，５Ｍ，５Ｒは３本の針で、ミシンアーム９内に設けたミシン主軸（図示省略する）に連動して上下に往復移動する針棒１０の下端部に針止め７を介して布送り方向Ｘと交叉する方向に並列して取り付けられており、それぞれ針糸６Ｌ，６Ｍ，６Ｒを供給するものである。１１は筒型シリンダーベッド部で、その上面には針板１２が固定されているとともに、内部には下ルーパ糸用ルーパ（図９参照）や布送り歯などの縫いを形成する部品や機構（周知であるため、それらの記載を省略する）が設けられている。１３は布押え金で、押え棒１４を介して縫製布を上方から針板１２に押し付ける下降位置と布の押し付けを解除する上昇位置とに位置切換自在に構成され、前記３本の針５Ｌ，５Ｍ，５Ｒが挿通する針落ち部及び針糸６Ｌ，６Ｍ，６Ｒ及び上飾り糸３が通過する糸通過部を含む貫通孔１３ａが形成されている。【００１８】  ２はミシンアーム９に固定支持されて下方に延設された上飾り糸案内であり、その下端部には、図３に明示するように、上飾り糸３をほぼ前後方向に移動可能に挿通係合させてその繰り出しを案内する糸案内用長孔２ａが形成されている。８は上飾り糸道であり、その下端部近くに上飾り糸３が挿通する糸孔８ａを有し、前記針止め７に取り付けられ前記針５Ｌ，５Ｍ，５Ｒに同期して上下に往復駆動移動するように構成されている。【００１９】  この上飾り糸道８の下端部には、前記上飾り糸案内２の糸案内用長孔２ａ内を上方から下方へ挿通移動可能な糸押下げ片８ｂが下向きに一体に延設されており、前記針５Ｌ，５Ｍ，５Ｒの下降移動に同期して前記上飾り糸道８が下方への移動端に達したとき、その糸押下げ片８ｂが上飾り糸案内２の糸案内用長孔２ａ内を上方から下方へ挿通移動することにより、前記糸孔８ａに挿通されて前記上飾り糸案内２と後述する上飾り糸切断装置４との間に亘って掛け渡された上飾り糸３部分を下方へ押し下げる上飾り糸押し下げ手段が構成されている。なお、前記上飾り糸案内２の糸案内用長孔２ａは、前記糸押下げ片８ｂが上下に挿通移動可能なように拡大形成されている。【００２０】  １は上飾り糸ルーパであり、その基端部が縦軸１５に固着のホルダー１６に固定されているとともに、下部部分がほぼ水平面に沿うように屈曲されて３本針５Ｌ，５Ｍ，５Ｒの手前を円弧状に湾曲した形状に形成されており、前記針棒１０の上下往復移動に連動して３本針５Ｌ，５Ｍ，５Ｒの手前位置の円弧状経路に沿って進出退入駆動移動自在に構成されている。この上飾り糸ルーパ１の先端部近くの上面側には、図３に明示するように、通常の縫い動作時において前記上飾り糸案内２と布押え金１３下部の縫目形成領域との間に亘って斜めに位置する上飾り糸３部分を引掛けて３本針５Ｌ，５Ｍ，５Ｒのうちの左端針５Ｌの左方位置にまで繰り出し移動させる糸掛部１ａが形成され���いる。【００２１】  前記上飾り糸ルーパ１の上面で前記糸掛部１ａよりも更に先端部側には、縫い動作の開始に伴い該上飾り糸ルーパ１が進出端位置から退入移動してその退入端近傍に達したとき、前記上飾り糸案内２と上飾り糸切断装置４との間に亘って掛け渡された上飾り糸３部分を引掛けるフック部１８が設けられている。このフック部１８は、上飾り糸ルーパ１の上面先端から立ち上がる立上部１８ａと上飾り糸ルーパ１の上面と平行に延びる中間部１８ｂと下向きに延びる立下部１８ｃとからなり、その立下部１８ｃの下端部と上飾り糸ルーパ１の上面との間に前記糸掛部１ａに対向して開口する糸出入口部１８ｄが形成されている。【００２２】  また、前記上飾り糸切断装置４は、縫い終わり時に進出端にまで移動している前記上飾り糸ルーパ１の糸掛部１ａと前記上飾り糸案内２の糸案内用長孔２ａとの間に亘って張り渡された上飾り糸３部分に突入移動して該上飾り糸３部分を引掛けて斜め後方上方へ引き寄せる可動メス４ａと固定メス４ｂとからなり、引き寄せた上飾り糸３部分を両メス４ａ，４ｂにより切断し、かつ、その切断された上飾り糸３の糸端を糸端保持バネ４ｃ及び糸保持補助バネ４ｄで挟圧保持するように構成されている。【００２３】  次に、上記のごとく構成された３本針縦筒偏平縫いミシンによる上飾り縫い動作について、図４を参照しながら説明する。
図４（Ａ）は、先の布に対する縫製作業が終了した縫い終わり時の状態であり、図７（Ａ）に示した状態と全く同様に、上飾り糸ルーパ１の糸掛部１ａと上飾り糸案内２の糸案内用長孔２ａとの間に亘って上飾り糸３部分が張り渡されているとともに、切断された、あるいは、切断後に側方に払われた針糸６Ｌ，６Ｍ，６Ｒの端部６ｌ，６ｍ，６ｒが上飾り糸３部分の後方にフリーな状態で位置している。【００２４】  この状態でミシンが作動されて次の布に対する縫いが開始されたとき、図４（Ｂ）に示すように、前記上飾り糸ルーパ１がその進出端位置から退入移動するとともに、針５Ｌ，５Ｍ，５Ｒ及び上飾り糸道８が同期して下降移動し、その移動端に達したとき、糸押下げ片８ｂが上飾り糸案内２の糸案内用長孔２ａ内を上方から下方へ挿通移動することになり、これによって、前記糸孔８ａに挿通されて前記上飾り糸案内２と上飾り糸切断装置４との間に亘って掛け渡された上飾り糸３部分が下方へ押し下げられる。【００２５】  続いて、図４（Ｃ）に示すように、前記上飾り糸ルーパ１がその退入端に達したのち針５Ｌ，５Ｍ，５Ｒの並列方向に向けて進出移動を開始するとともに、針５Ｌ，５Ｍ，５Ｒ及び上飾り糸道８がその下死点に達したのち上昇移動を開始することになるが、このとき、すなわち、前記上飾り糸ルーパ１が退入端に達したとき、下方へ押し下げられた状態にある上飾り糸３部分が上飾り糸ルーパ１先端のフック部１８内に入って該フック部１８に引掛けられ、上飾り糸ルーパ１の進出移動に伴って順次引き出される。【００２６】  そして、上飾り糸ルーパ１が次に進出端に達した状態では、図４（Ｄ）に示すように、前記フック部１８に引掛けられて引き出された上飾り糸３で前記フック部１８と上飾り糸切断装置４との間に位置する上飾り糸３部分が右端の針５Ｒをその前方から後方に折曲げられて右端の針５Ｒを中心とする屈曲部分３ａが形成されることになり、この屈曲部分３ａと前記フック部１８との間の上飾り糸部分３ｂは右端の針糸６Ｒの前方に位置することになる。なお、図４（Ｄ）の状態をより理解しやすくするために、この図４（Ｄ）を拡大した状態を図５で示す。【００２７】  この状態で、針５Ｌ，５Ｍ，５Ｒを一度下降移動させて各針糸６Ｌ，６Ｍ，６Ｒの端部６ｌ，６ｍ，６ｒを布押え金１３の下部で布２０（図９参照）につながり保持させた上で、次に針５Ｌ，５Ｍ，５Ｒを下降移動させると、針５Ｌ，５Ｍ，５Ｒの下降移動につれて右端の針５Ｒ及び針糸６Ｒにより上飾り糸３の屈曲糸部分３ａが図４（Ｅ）に示すように、布押え金１３の下の縫目形成領域に確実に押し下げられることになり、第１針目の動作から上飾り糸３、各針糸６Ｌ，６Ｍ，６Ｒ及び下ルーパ糸が相互に絡んだ所定の縫目が確実に形成されることになる。【００２８】  上述のようにして第１針目の縫い動作で所定の縫目が形成されると、それ以降は上飾り糸３が布押え金１３下部の縫目形成領域と上飾り糸案内２の糸案内用長孔２ａとの間に亘り右斜め上方に向けた姿勢に掛け渡された状態となるので、第２針目以降の縫い動作では前記上飾り糸ルーパ１の進出移動に伴い該ルーパ１の糸掛部１ａが上飾り糸３を引掛けて左方に引き寄せる作用を繰り返して所定の縫目が確実、順調��形成されることになる。
なお、図示していないが、図４（Ｄ）から図４（Ｅ）への上飾り糸ルーパ１の移動中に、前記フック部１８に引掛けられた上飾り糸３部分は該フック部１８の糸出入口部１８ｄから自然に抜け出て解放される。【００２９】  したがって、縫い終わり時に布押え金１３の下部で切断された、あるいは、切断後に針５Ｌ，５Ｍ，５Ｒの側方上方に払われた針糸６Ｌ，６Ｍ，６Ｒの端部がフリーな状態にあったとしても、また、伸縮性に富んだ針糸６Ｌ，６Ｍ，６Ｒの使用によって切断後の針糸端部６ｌ，６ｍ，６ｒが非常に短いものになったとしても、次の布に対する第１針目の縫い動作時に上飾り糸ルーパ１の先端部に付設したフック部１８の働きにより上飾り糸３部分を確実に引掛けて前述したような屈曲部分３ａを形成し、この屈曲部分３ａとフック部１８との間の上飾り糸部分３ｂを右端の針糸６Ｒの前方に位置させて上飾り糸３を布押え金１３の下の縫目形成領域に確実に押し下げることができるので、第１針目の動作からは飾り糸３、針糸６Ｌ，６Ｍ，６Ｒ及び下ルーパ糸が相互に絡んだ所定の縫目を確実に形成することができ、また、第２針目以降においても当然に所定の縫目を確実に形成することができ、これによって、縫製不良品の発生を無くすることができる。【００３０】  なお、上記の実施の形態では、前記上飾り糸道８の糸孔８ａに挿通されて前記上飾り糸案内２と上飾り糸切断装置４との間に亘って掛け渡された上飾り糸３部分を下方へ押し下げてフック部１８への上飾り糸３の引掛かりを補助する上飾り糸押し下げ手段として、前記上飾り糸道８の下端部に前記上飾り糸案内２の糸案内用長孔２ａ内を上方から下方へ挿通移動可能な糸押下げ片８ｂを一体に延設した構成を採用したが、これに代えて、図６に示すように、針止め７の左側面部に下方に向けて突出する略Ｌ形の糸押下げ部材２１を付設したものであってもよい。【００３１】  この図６に示すような糸押下げ部材２１を採用した場合は、針５Ｌ，５Ｍ，５Ｒ及び針止め７が下方への移動端近くに達したとき、前記上飾り糸案内２と上飾り糸切断装置４との間に亘って掛け渡された上飾り糸３のうち、上飾り糸切断装置４に近い糸部分に糸押下げ部材２１が当接して前記フック部１８への上飾り糸３の引掛かりを補助することになり、上記実施の形態の場合と同様に、第１針目の縫い動作から所定の縫目を確実に形成することができる。【００３２】  また、上記各実施の形態では、上飾り糸ルーパ１の先端部に本来の糸掛部１ａに対向させてフック部１８を設けるとともに、第１針目の縫い動作時にフック部１８への上飾り糸３の引掛かりを補助するために糸押下げ片８ｂや糸押下げ部材２１を設けたものについて説明したが、この構成に代えて、上飾り糸ルーパ１の先端部にはフック部を設けず、本来の糸掛部１ａのみを設ける一方、前記針５Ｌ，５Ｍ，５Ｒ及び針棒１０とは別個に上下に駆動移動することにより、前記上飾り糸案内２と上飾り糸切断装置４との間に亘って掛け渡された上飾り糸３を前記上飾り糸ルーパ１の糸掛部１ａに引掛けられるように下方へ押下げ可能な上飾り糸引掛け補助手段を別個に設けてもよい。【００３３】  さらに、上飾り糸引掛け補助手段として、上記実施の形態で示した上飾り糸切断装置４自体を下��へ向けて移動させることで、上飾り糸３を前記上飾り糸ルーパ１の糸掛部１ａに引掛けられるように下方へ押下げ可能としてもよい。つまり、上飾り糸切断装置４を上飾り糸引掛け補助手段に兼用させるように上下に駆動移動自在に構成してもよい。【００３４】  ただし、このような別個な上飾り糸引掛け補助手段を設けたり、上飾り糸切断装置４で上飾り糸引掛け補助手段を兼用したりする場合は、例えばエアシリンダなど該上飾り糸押し下げ手段や上飾り糸切断装置４を上下移動させるための特別な駆動機構が必要であるとともに、針５Ｌ，５Ｍ，５Ｒや上飾り糸ルーパ１等との動作タイミングを適正に設定すること、並びに、その設定タイミングを常に狂いの生じないように定期的に調整維持することが必要である。その意味から、上記各実施の形態で示したような構成を採用することが構造的にもコスト的にもメンテナンスの面からも望ましいものである。【００３５】  さらにまた、上記実施の形態では、３本針縦筒偏平縫いミシンに適用したが、本発明はそれに限らず、例えばフラットベッド型偏平縫いミシンやシリンダーベッド型偏平縫いミシン等にも適用可能である。
【図面の簡単な説明】
【００３６】
【図１】本発明に係る上飾り機構付きミシンの一例である３本針縦筒偏平縫いミシンの全体斜視図である。
【図２】同上ミシンの要部の拡大斜視図である。
【図３】同上ミシンの主要部の構成、動作及び配置関係を示す拡大斜視図である。
【図４】（Ａ）〜（Ｅ）は第１針目の上飾り縫い動作の要部の説明図である。
【図５】図４（Ｄ）の状態の拡大図である。
【図６】他の実施の形態を示す要部の拡大図である。
【図７】（Ａ）〜（Ｄ）は従来の上飾り機構付きミシンによる第１針目の上飾り縫い動作の要部の説明図である。
【図８】図７（Ｄ）の状態の拡大図である。
【図９】（Ａ）〜（Ｃ）は上飾り糸と針糸との位置関係の説明図である。
【符号の説明】
【００３７】１  上飾り糸ルーパ
１ａ  糸掛部
２  上飾り糸案内
２ａ  糸案内用長孔
３  上飾り糸
４  上飾り糸切断装置
５Ｌ，５Ｍ，５Ｒ  針
６Ｌ，６Ｍ，６Ｒ  針糸
６ｌ，６ｍ，６ｒ  針糸端部
７  針止め
８  上飾り糸道
８ｂ  糸押下げ片
９  ミシンアーム
１３  布押え金
１８  フック部
２１  糸押下げ部材
【図１】
2008142498.tif 000003
【図２】
2008142498.tif 000004
【図３】
2008142498.tif 000005
【図４】
2008142498.tif 000006
【図５】
2008142498.tif 000007
【図６】
2008142498.tif 000008
【図７】
2008142498.tif 000009
【図８】
2008142498.tif 000010
【図９】
2008142498.tif 000011